【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
画像形成ジョブを管理するサーバと、画像形成ジョブを実行する画像形成装置とを含む画像形成システムであって、
前記サーバは、
外部装置からジョブを受け付ける受付手段と、
前記受付手段によって受け付けたジョブの状態情報を管理するとともに、対応する画像形成装置からの要求に応じてジョブを提供する管理手段と
を備え、
前記画像形成装置は、
前記画像形成装置において受け付けられたことに従って格納されるジョブの処理中情報を格納する格納手段と、
前記サーバから受信したジョブであって、前記格納手段に当該ジョブの処理中情報が格納されているジョブは受け付けず、前記サーバから受信したジョブであって、前記格納手段に当該ジョブの処理中情報が格納されていないジョブは受け付け、前記サーバから当該ジョブに関するデータを取得して画像形成の実行を開始することに従って、前記格納手段に当該ジョブの処理中情報を格納する制御手段と
を備えることを特徴とする画像形成システム。
【請求項２】
前記制御手段は、前記受け付けたジョブの画像形成が完了すると、前記格納手段に格納した、対応する処理中情報を削除するとともに、ジョブの完了を前記サーバに通知することを特徴とする請求項１に記載の画像形成システム。
【請求項３】
前記管理手段は、
前記外部装置から受け付けたジョブを対応する画像形成装置へ提供した際に、当該ジョブの状態情報をジョブ受付済みに変更し、
前記画像形成装置から当該ジョブに関するデータが取得されると、当該ジョブの状態情報を処理中に変更し、
前記画像形成装置から当該ジョブの画像形成が完了したことを示す通知を受けると、当該ジョブの状態情報を印刷済みに変更し、当該ジョブに関するデータを削除することを特徴とする請求項１又は２に記載の画像形成システム。
【請求項４】
前記制御手段は、
ユーザ操作によって前記画像形成装置のジョブ状況を確認するための画面の表示を受けると、当該画面を表示するとともに、前記サーバが管理している前記画像形成装置のジョブリストを取得し、該ジョブリストの中に状態情報が処理中のジョブが有れば当該ジョブに関するデータを前記サーバから取得して画像形成の実行を開始することを特徴とする請求項３に記載の画像形成システム。
【請求項５】
前記制御手段は、
前記ジョブリストを取得した際に、該ジョブリストの中に状態情報が処理中のジョブが無く、かつ、状態情報がジョブ受付済みのジョブがあれば、当該ジョブに関するデータを前記サーバから取得して画像形成の実行を開始し、前記格納手段に当該ジョブの処理中情報を格納することを特徴とする請求項４に記載の画像形成システム。
【請求項６】
前記制御手段は、前記ユーザ操作によって前記画像形成装置のジョブ状況を確認するための画面の表示を受けると、前記格納手段に所定のジョブの処理中情報が格納されていれば、前記ジョブリストを前記サーバから取得することを特徴とする請求項４又は５に記載の画像形成システム。
【請求項７】
前記格納手段は、不揮発性メモリであることを特徴とする請求項１乃至６の何れか１項に記載の画像形成システム。
【請求項８】
画像形成ジョブを管理するサーバと通信可能な、画像形成ジョブを実行する画像形成装置であって、
前記画像形成装置において受け付けられたことに従って格納されるジョブの処理中情報を格納する格納手段と、
前記サーバから受信したジョブであって、前記格納手段に当該ジョブの処理中情報が格納されているジョブは受け付けず、前記サーバから受信したジョブであって、前記格納手段に当該ジョブの処理中情報が格納されていないジョブは受け付け、前記サーバから当該ジョブに関するデータを取得して画像形成の実行を開始することに従って、前記格納手段に当該ジョブの処理中情報を格納する制御手段と
を備えることを特徴とする画像形成装置。
【請求項９】
画像形成ジョブを実行する画像形成装置と通信可能な、画像形成ジョブを管理するサーバであって、
外部装置からジョブを受け付ける受付手段と、
前記受付手段によって受け付けたジョブの状態情報を管理するとともに、対応する画像形成装置からの要求に応じてジョブを提供する管理手段と
を備え、
前記画像形成装置は、
前記サーバから受信したジョブであって、格納手段に当該ジョブの処理中情報が格納されているジョブは受け付けず、前記サーバから受信したジョブであって、前記格納手段に当該ジョブの処理中情報が格納されていないジョブは受け付け、前記サーバから当該ジョブに関するデータを取得して画像形成の実行を開始することに従って、前記格納手段に当該ジョブの処理中情報を格納することを特徴とするサーバ。
【請求項１０】
画像形成ジョブを管理するサーバと、画像形成ジョブを実行する画像形成装置とを含む画像形成システムの制御方法であって、
前記サーバにおいて、
外部装置からジョブを受け付ける受付工程と、
前記受付工程で受け付けたジョブの状態情報を管理するとともに、対応する画像形成装置からの要求に応じてジョブを提供する管理工程と
を実行し、
前記画像形成装置において、
前記サーバから受信したジョブであって、格納手段に当該ジョブの処理中情報が格納されているジョブは受け付けず、前記サーバから受信したジョブであって、前記格納手段に当該ジョブの処理中情報が格納されていないジョブは受け付け、前記サーバから当該ジョブに関するデータを取得して画像形成の実行を開始することに従って、前記格納手段に当該ジョブの処理中情報を格納する制御工程
を実行することを特徴とする画像形成システムの制御方法。
【請求項１１】
画像形成ジョブを管理するサーバと通信可能な、画像形成ジョブを実行する画像形成装置の制御方法であって、
前記サーバから受信したジョブであって、格納手段に当該ジョブの処理中情報が格納されているジョブは受け付けず、前記サーバから受信したジョブであって、前記格納手段に当該ジョブの処理中情報が格納されていないジョブは受け付け、前記サーバから当該ジョブに関するデータを取得して画像形成の実行を開始することに従って、前記格納手段に当該ジョブの処理中情報を格納する制御工程
を実行することを特徴とする画像形成装置の制御方法。
【請求項１２】
画像形成ジョブを実行する画像形成装置と通信可能な、画像形成ジョブを管理するサーバの制御方法であって、
外部装置からジョブを受け付ける受付工程と、
前記受付工程で受け付けたジョブの状態情報を管理するとともに、対応する画像形成装置からの要求に応じてジョブを提供する管理工程と
を実行し、
前記画像形成装置は、
前記サーバから受信したジョブであって、格納手段に当該ジョブの処理中情報が格納されているジョブは受け付けず、前記サーバから受信したジョブであって、前記格納手段に当該ジョブの処理中情報が格納されていないジョブは受け付け、前記サーバから当該ジョブに関するデータを取得して画像形成の実行を開始することに従って、前記格納手段に当該ジョブの処理中情報を格納することを特徴とするサーバの制御方法。
【請求項１３】
画像形成ジョブを管理するサーバと通信可能な、画像形成ジョブを実行する画像形成装置の制御方法における各工程をコンピュータに実行させるためのプログラムであって、前記制御方法は、
前記サーバから受信したジョブであって、格納手段に当該ジョブの処理中情報が格納されているジョブは受け付けず、前記サーバから受信したジョブであって、前記格納手段に当該ジョブの処理中情報が格納されていないジョブは受け付け、前記サーバから当該ジョブに関するデータを取得して画像形成の実行を開始することに従って、前記格納手段に当該ジョブの処理中情報を格納する制御工程
を実行することを特徴とするプログラム。
【請求項１４】
画像形成ジョブを実行する画像形成装置と通信可能な、画像形成ジョブを管理するサーバの制御方法における各工程をコンピュータに実行させるためのプログラムであって、前記制御方法は、
外部装置からジョブを受け付ける受付工程と、
前記受付工程で受け付けたジョブの状態情報を管理するとともに、対応する画像形成装置からの要求に応じてジョブを提供する管理工程と
を実行し、
前記画像形成装置は、
前記サーバから受信したジョブであって、格納手段に当該ジョブの処理中情報が格納されているジョブは受け付けず、前記サーバから受信したジョブであって、前記格納手段に当該ジョブの処理中情報が格納されていないジョブは受け付け、前記サーバから当該ジョブに関するデータを取得して画像形成の実行を開始することに従って、前記格納手段に当該ジョブの処理中情報を格納することを特徴とするプログラム。
【手続補正２】
【補正対象書類名】明細書
【補正対象項目名】０００８
【補正方法】変更
【補正の内容】
【０００８】
本発明は、画像形成ジョブを管理するサーバと、画像形成ジョブを実行する画像形成装置とを含む画像形成システムであって、前記サーバは、外部装置からジョブを受け付ける受付手段と、前記受付手段によって受け付けたジョブの状態情報を管理するとともに、対応する画像形成装置からの要求に応じてジョブを提供する管理手段とを備え、前記画像形成装置は、前記画像形成装置において受け付けられたことに従って格納されるジョブの処理中情報を格納する格納手段と、前記サーバから受信したジョブであって、前記格納手段に当該ジョブの処理中情報が格納されているジョブは受け付けず、前記サーバから受信したジョブであって、前記格納手段に当該ジョブの処理中情報が格納されていないジョブは受け付け、前記サーバから当該ジョブに関するデータを取得して画像形成の実行を開始することに従って、前記格納手段に当該ジョブの処理中情報を格納する制御手段とを備えることを特徴とする。